(57)【要約】【課題】開放状態にある扉体を誤って閉めてしまうことを未然に防止できる食器洗浄機を提供すること。【解決手段】下側扉体を支持する下側支持腕部材と上側扉体を支持する上側支持腕部材とを連結するリンク機構の連結手段とを有し、この連結手段に、回動連結支点を介して回動自在に連結される二つの連結ロッドを設け、上側扉体および下側扉体の開閉作動のともなって軌跡上を移動する回動連結支点が、上側扉体および下側扉体の全開状態ではリンク運動の死点を過ぎた位置に来ることを特徴とする。【選択図】図５
2005245641.tif 000002
【特許請求の範囲】
【請求項１】
本体外枠と、この本体外枠に内置された洗浄槽と、前記洗浄槽に設けた開口部を開閉する上側扉体および下側扉体と、前記上側扉体を支持する上側支持腕部材と、前記下側扉体を支持し、かつ前記洗浄槽側に直接または介在部材を介して間接的に回動自在に支持されている下側支持腕部材と、この下側支持腕部材と前記上側支持腕部材とを連結するリンク機構の連結手段とを有し、
前記連結手段は、回動連結支点を介して回動自在に連結される二つの連結ロッドを有し、
前記上側扉体および前記下側扉体の開閉作動のともなって軌跡上を移動する前記回動連結支点が、前記上側扉体および前記下側扉体の全開状態ではリンク運動の死点を過ぎた位置に来ることを特徴とする食器洗浄機。
【請求項２】
請求項１記載の食器洗浄機において、
前記上側扉体および前記下側扉体は、上下方向の開閉作動であることを特徴とする食器洗浄機。
【請求項３】
請求項２記載の食器洗浄機において、
前記回動連結支点が移動する軌跡に沿って形成したリンク案内溝を前記洗浄槽に設け、
前記回動連結支点に設けたローラを含む移動部材を前記リンク案内溝に移動自在に嵌合し、
前記上側扉体および前記下側扉体の全開状態で前記移動部材の移動を阻止する阻止部を前記リンク案内溝の一端に設けたことを特徴とする食器洗浄機。
【請求項４】
請求項１記載の食器洗浄機において、
前記上側扉体および前記下側扉体は、上下方向に開閉作動するように設けられ、
前記本体外枠および前記洗浄槽は、前面上側コーナ部が凸形の円弧形状を有し、
前記上側扉体は、前記本体外枠および前記洗浄槽の円弧形状に倣った円弧形状を有し、
本体外枠は、開放に際し、前記上側扉体および前記洗浄槽より離れる方向に移動してから回動作動に移行するように設けられ、
前記回動作動に際し、前記本体外枠の上側に被さるように移動する前記上側扉体と本体外枠との隙間が指の太さを上回る程度としたことを特徴とする食器洗浄機。
【請求項５】
請求項１記載の食器洗浄機において、
前記上側支持腕部材、前記下側支持腕部材、および連結手段は、前記本体外枠と前記洗浄槽との間に置かれることを特徴とする食器洗浄機。
【請求項６】
請求項１記載の食器洗浄機において、
前記上側扉体および前記下側扉体は、上下方向に開閉作動するように設けられ、
前記本体外枠および前記洗浄槽は、前面上側コーナ部が凸形の円弧形状を有し、
前記上側扉体は、前記本体外枠および前記洗浄槽の円弧形状に倣った円弧形状を有し、
前記本体外枠および前記洗浄槽は、後面上側コーナ部が面取りされたけ形状を有することを特徴とする食器洗浄機。
【発明の詳細な説明】
【技術分野】
【０００１】
本発明は、家庭で使用する食器洗浄機に関するものである。
【背景技術】
【０００２】
特開２００３−７０７１２号公報（特許文献１）に記載されている従来の食器洗浄機は、扉体を斜めに離間させてから上方に回動するように開放させる構成を有する。
【０００３】
また特開２００２−２１９０８３号公報（特許文献２）に記載されている従来の食器洗浄機は、下扉体を少し開いてから上扉体をも一緒に開放させる構成を有する。
【０００４】
【特許文献１】特開２００３−７０７１２号公報
【０００５】
【特許文献２】特開２００２−２１９０８３号公報
【発明の開示】
【発明が解決しようとする課題】
【０００６】
上記従来例は、開放状態にある扉体を誤って閉めてしまうことを未然に防止することに関して何の配慮もされていなかった。
【０００７】
食器かごが引き出されているときに扉体を閉めると、食器類を破損しかねないのである。
【０００８】
本発明は、上記の問題に対処し、開放状態にある扉体を誤って閉めてしまうことを未然に防止できる食器洗浄機を提供することを目的とする。
【課題を解決するための手段】
【０００９】
本発明は、洗浄槽に設けた開口部を開閉する上側扉体および下側扉体と、上側扉体を支持する上側支持腕部材と、下側扉体を支持し、かつ洗浄槽側に直接または介在部材を介して間接的に回動自在に支持されている下側支持腕部材と、この下側支持腕部材と上側支持腕部材とを連結するリンク機構の連結手段とを有し、
連結手段は、回動連結支点を介して回動自在に連結される二つの連結ロッドを有し、上側扉体および下側扉体の開閉作動のともなって軌跡上を移動する回動連結支点が、上側扉体および下側扉体の全開状態ではリンク運動の死点を過ぎた位置に来ることを特徴とする。
【発明の効果】
【００１０】
以上述べたように、本発明によれば、開放状態にある扉体を誤って閉めてしまうことを未然に防止できる食器洗浄機を提供できる。
【発明を実施するための最良の形態】
【００１１】
本発明の実施形態に関し、実施形態を示す図１〜図１１に沿って構成の面から説明する。
【００１２】
まず、図１に示すように食器洗浄機の本体外枠１０には、内部に洗浄槽１１が備わる。本体外枠１０は、ステンレス等の鋼板で、洗浄槽１１は耐熱性の合成樹脂で形成されている。本体外枠１０の前面側には、洗浄槽１１の前側に設けた開口部を開け閉めする上側扉体１２および下側扉体１３が備わる。
【００１３】
洗浄槽１１の下部には、洗浄水を噴射する回転噴射体１４が備わる。回転噴射体１４は噴射孔１５を有し、この噴射孔１５より洗浄水や濯ぎ水が噴射される。回転噴射体１４よりも下方になる洗浄槽１１の底部には水溜部が設けられ、ここの洗浄水をポンプで吸水／加圧して回転噴射体１４で洗浄槽１１内に噴射し、食器の洗浄を行う。
【００１４】
本体外枠１０の前側下部には、フロントパネル１６が設けられている。このフロントパネル１６には、食器洗浄機の運転を操作したり、制御したりする各種の制御装置が備わる。洗浄槽１１の開口部は、フロントパネル１６の上部から洗浄槽１１の天井にかけて形成された大きな開口になっている。
【００１５】
図２に示すように、下側扉体１３は、上下方向に回動するように洗浄槽１１側に支持されている。下側扉体１３は、間口巾に比べ、丈が短めになっているので、手前側に倒すように開いたときに下側扉体１３の突き出る長さが少なく、狭いところにも使える使い勝手の良いものである。また開放された下側扉体１３は、図５に示すようにほぼ水平状態に置かれるので、洗浄槽から引き出す食器かごに置かれる食器から滴下する滴受けにもなる。
【００１６】
下側扉体１３は、これを支持する下側支持腕部材１７および支持基板１８（介在部材）をもって洗浄槽１１側に回動自在に支持される。支持基板１８（介在部材）は、図８、図９に示すように、本体外枠１０と洗浄槽１１との狭い隙間の間に置かれ、かつ洗浄槽１１に取り付け固定される。下側支持腕部材１７を洗浄槽１１に直に取り付ける構成をとるときには支持基板１８（介在部材）を省略できる。
【００１７】
下側支持腕部材１７は、中間部が支持基板１８（介在部材）に回動自在に支持され、一端側が下側扉体１３にねじ等で取り付けられ、他端側が下側の連結ロッド１９に回転自在に連結される。
【００１８】
上側扉体１２は、下側扉体１３と同様、間口巾に比べ、丈が短めになっている。しかも、ほぼ中間から上側にかけて、本体外枠１０および洗浄槽１１の形状に倣って円弧形状を有する。本体外枠１０および洗浄槽１１は、前面上側コーナ部が凸形の円弧形状を有するので、それに倣った形状になっている。
【００１９】
上側扉体１２は、上側支持腕部材２０および支持腕部材用支持片３０を介して洗浄槽１１側に回動自在に支持される。上側支持腕部材２０は、一端が上側扉体１２にねじ等で取り付け固定され、他端が支持腕部材用支持片３０の一端に回動連結支点を介して回動自在に連結される。支持腕部材用支持片３０の他端は、洗浄槽１１に回動自在に支持される。この支持腕部材用支持片３０および上側支持腕部材２０は、下側支持腕部材１７と同様、本体外枠１０と洗浄槽１１との狭い隙間の間に置かれる。
【００２０】
支持腕部材用支持片３０の他端は、洗浄槽１１に設けた突起台３１に回動自在に支持されるので、支持腕部材用支持片３０の回動は円滑に行われる。
【００２１】
上側支持腕部材２０は、連結手段３２（リンク機構の連結手段）を介して下側支持腕部材１７に連結される。すなわち、連結手段３２は、二つの連結ロッド（下側の連結ロッド１９および上側の連結ロッド３３）を有する。二つの連結ロッドは、回動連結支点を介して回動自在に連結され、上側の連結ロッド３３の上端側が上側支持腕部材２０の中間部に回動連結支点を介して回動自在に連結され、さらに下側の連結ロッド１９の下端側が下側支持腕部材１７に回動連結支点を介して回動自在に連結されるのである。
【００２２】
支持腕部材用支持片３０の回動する角度を規制する回転角度規制ストッパー３４は、上側の角度規制ストッパー片３４Ａ（開放側部位）、下側の角度規制ストッパー片３４Ｂ（閉成側部位）を有する。回転角度は上側の角度規制ストッパー片３４Ａ（開放側部位）と下側の角度規制ストッパー片３４Ｂ（閉成側部位）との範囲に規制される。上側の角度規制ストッパー片３４Ａ、下側の角度規制ストッパー片３４Ｂは、合成樹脂により洗浄槽１１と一体的に形成される。この回転角度規制ストッパー３４で支持腕部材用支持片３０の回動する角度は、２０度程度に規制される。
【００２３】
支持片用加勢ばね３５は、支持腕部材用支持片３０を上側の角度規制ストッパー片３４Ａ側に向けて引くように備える。支持片用加勢ばね３５は、一端が洗浄槽１１の係合突起３６に、他端が支持腕部材用支持片３０の回動連結支点の近傍に係止される。
【００２４】
引きばね３７は、連結手段３２（下側の連結ロッド１９および上側の連結ロッド３３）の回動連結支点の近傍と上側支持腕部材２０の回動連結支点の近傍とを引き寄せるように備える。すなわち、引きばね３７は、一端を連結ロッド３３の回動連結支点の近傍に、他端を上側支持腕部材２０の回動連結支点の近傍に係止するように設けられる。
【００２５】
リンク案内溝３８は、連結手段３２（下側の連結ロッド１９および上側の連結ロッド３３）の回動連結支点に設けたローラ／ボール（移動部材）を移動自在に案内する。このリンク案内溝３８は、合成樹脂により洗浄槽１１と一体的に形成される。ローラ等の移動部材はリンク案内溝３８に嵌合した状態で移動する。
【００２６】
洗浄槽１１の外側面に沿って円弧を描くリンク案内溝３８は、上に昇りながら洗浄槽１１の手前側に向う軌跡を辿る。この軌跡は、上側扉体１２および下側扉体１３の開閉作動にともなってローラ等の移動部材が辿る軌跡と一致するように形成されている。
【００２７】
リンク案内溝３８の下部には、始期移動案内３８Ａが連通するように設けられる。始期移動案内３８Ａは、上側扉体１２および下側扉体１３が閉成状態にあるもとで、下側扉体１３だけが少し開き始める始期開放に際し、ローラの移動部材が辿る軌跡に沿って形成されている。
【００２８】
上側扉体１２および下側扉体１３の開閉にともなって嵌ったままリンク案内溝３８内を移動するローラの移動部材は、上側扉体１２および下側扉体１３の閉成状態にあっては始期移動案内３８Ａの端側に位置し、上側扉体１２および下側扉体１３の開放状態にあってはリンク案内溝３８の上端側に位置する。このリンク案内溝３８の上端側（一端）で、ローラの移動部材は、それよりも上側に移動できないように阻止される。このため、リンク案内溝３８の上端側（一端）は、移動部材の移動を阻止する阻止部３８Ｂになるもので、この阻止部３８Ｂで上側扉体１２および下側扉体１３の最大開放状態が規制される。
【００２９】
ローラの移動部材が摺動自在に支持されるリンク案内溝３８は、一つであるので構成が簡単である。
【００３０】
下側扉体１３には、表側にハンドル３９、ロックボタン４０を、内側にドアラッチ５０を備える。上側扉体１２および下側扉体１３の開け閉めは、ハンドル３９をもって行う。上側扉体１２および下側扉体１３は、ロックボタン４０を押してドアラッチ５０の係合を解除してからでないと開けることが出来ないように扉施錠が備わっている。
【００３１】
洗浄槽１１の外側面には、格子状のリブ５１が合成樹脂により洗浄槽１１と一体的に形成されている。このリブ５１を設けることで、合成樹脂で形成されている肉厚の薄い洗浄槽１１の剛性を上げることができる。またリブ５１は、下側の連結ロッド１９、上側の連結ロッド３３、上側支持腕部材２０、下側支持腕部材１７、支持腕部材用支持片３０等の作動する際に大きく振れ動くのを阻止する振れ抑えリブの機能をも有する。下側の連結ロッド１９や上側の連結ロッド３３等がリブ５１に当接して摺動自在に案内されるので、上側扉体１２および下側扉体１３の開け閉め時の横振れが緩和される。
【００３２】
次に本発明の実施形態を動作の面から述べる。
【００３３】
図２は、上側扉体１２および下側扉体１３が閉鎖されている状態を示す。この状態で洗浄運転が行われる。ドアラッチ５０の係合で施錠されているので、洗浄運転中に上側扉体１２および下側扉体１３が開かれることは生じない。またロックボタン４０の操作で施錠解除をしないかぎり、ハンドル３９を引いても上側扉体１２および下側扉体１３は開かれないので、安全である。
【００３４】
さて、ロックボタン４０を押してドアラッチ５０の施錠を解除し、ハンドル３９を少し引くことで、図３に示すように下側扉体１３が開かれる。この段階では下側扉体１３だけが開かれ、上側扉体１２は閉じた状態のままである。
【００３５】
すなわち、下側扉体１３を開き始める始期開放の段階では、連結手段３２であるリンク機構のローラが始期移動案内３８Ａ内をリンク案内溝３８側に向って移動する。そのローラの移動は、上側支持腕部材２０の中間部の回動連結支点を中心とした上側の連結ロッド３３の円運動軌跡を辿るので、上側支持腕部材２０が動かされる操作力は生じず、下側扉体１３だけが開かれることになる。この下側扉体１３の開放が少し行われてから、図４に示すような上側扉体１２の開放も加わり、図５に示すように上側扉体１２および下側扉体１３が全面的に開かれる開放に至るのである。
【００３６】
上述した下側扉体１３の始期開放後に上側扉体１２が開放が行なわれるようにすることは、移動部材（ローラ）ガイドであるリンク案内溝３８に始期移動案内３８Ａを追加延長するだけで達成できるので、極めて簡単な構成で実現できるものである。
【００３７】
上側扉体１２および下側扉体１３が閉じられる動作は、上述した開放に際する動作の逆を辿って、最後に下側扉体１３だけの閉鎖動作によって図２の示すような上側扉体１２および下側扉体１３の閉成状態に戻る。
【００３８】
このように上側扉体１２／下側扉体１３の開放始期や閉成終了間際に下側扉体１３だけが作動するようにしたのは、上側扉体１２と下側扉体１３の間に設けるシールパッキングのシールが良く行われるようにしたものである。上側扉体１２が閉じられた後から下側扉体１３が閉じられることで、そのシールパッキングが上側扉体１２と下側扉体１３の間に挟持され、シールが良く行われる。開放始期には下側扉体１３が先行して開かれ、その後に上側扉体１２が開かれるので、シールパッキングに無理な力がかかることなく、上側扉体１２／下側扉体１３の開放作動が軽く円滑に行なわれるのである。
【００３９】
上述したように下側扉体１３の始期開放後に上側扉体１２の開放動作が下側扉体１３の開放動作とともに行われる。この上側扉体１２の開放動作に際し、連結手段３２であるリンク機構のローラがリンク案内溝３８を上に向って移動するので、下側の連結ロッド１９も上側の連結ロッド３３も上に移動する。上側の連結ロッド３３の上移動で上側支持腕部材２０が持ち上げられるので、上側扉体１２は開放動作する。下側の連結ロッド１９の上移動で、下側支持腕部材１７を介して下側扉体１３の開放動作が行われる。
【００４０】
上側扉体１２の開放始期動作について、図３および図４に沿って述べる。
【００４１】
下側扉体１３の始期開放が完了した図３に示す状態では、支持腕部材用支持片３０は回転角度規制ストッパー３４の下側の角度規制ストッパー片３４Ｂ側に位置する。上側の連結ロッド３３の上移動で上側支持腕部材２０が持ち上げられるにともない支持腕部材用支持片３０は洗浄槽１１側に支持される支点を中心に上側に回動して、図４に示すように、上側の角度規制ストッパー片３４Ａ側に当接するところまで移動する。
【００４２】
この支持腕部材用支持片３０の上側の回動で、上側支持腕部材２０は支持腕部材用支持片３０の支点を中心とする大きな回動（大きな回動半径）になるため、上側扉体１２は斜め上方に離れて行くように回転する。
【００４３】
すなわち、上側支持腕部材２０は、支持腕部材用支持片３０との回動連結支点を中心とするものに比べて大きな回動になるため、上側扉体１２は斜め上方に離れて行くように回動になるのである。このような開放始期動作により、上側扉体１２と洗浄槽１１との合わせ部に設けられているシールパッキングと上側扉体１２との摩擦が少なくなるため、上側扉体１２の開放作動が軽く、かつ円滑に行われるとともにシールパッキングの磨耗も少ない良さを期待できる。
【００４４】
上側扉体１２が閉成される際には、上側扉体１２の最終閉鎖段階で洗浄槽１１に近づくような回動になるので、上側扉体１２の開放作動時と同じような良さを期待できるのである。
【００４５】
上述した上側扉体１２の開放始期動作が完了した後には、上側扉体１２は支持腕部材用支持片３０との回動連結支点を中心とする回動に移行する。移行後の上側扉体１２の回動は、支持腕部材用支持片３０の支点を中心とする回動に比べて小さいが、既にシールパッキングから離間しているので、シールパッキングに摺ることもなく、円滑な開放作動が行われるのである。
【００４６】
また、こうして、開放始期動作完了後の上側扉体１２の回動半径を小さくしたのは、食器洗浄機の使用時を含めた全体的なサイズをコンパクトに抑えることにある。後で詳しくのべる。
【００４７】
支持片用加勢ばね３５について図３、図４、図７を引用して述べる。
【００４８】
支持片用加勢ばね３５を備えたのは、下側扉体１３の始期開放完了（図３）から上側扉体１２の開放始期完了（図４）に移る動作が確実に行われるようにしたためである。
【００４９】
すなわち、連結ロッド３３の上移動で、上側支持腕部材２０が持ち上げられて行く際に支持片用加勢ばね３５が備えられていないと、図７に示すように支持腕部材用支持片３０が、下側の角度規制ストッパー片３４Ｂ側から上側の角度規制ストッパー片３４Ａ側に移る回転移動が行われないことが生じやすい。
【００５０】
もし、支持腕部材用支持片３０が、上側の角度規制ストッパー片３４Ａ側に移らないと、上側支持腕部材２０は支持腕部材用支持片３０と上側支持腕部材２０との回動連結支点を中心とした小さな回動半径の回動になるため、前述したような上側扉体１２が斜め上方に離れて行く動作は得られない。
【００５１】
支持片用加勢ばね３５が設けられることで、支持腕部材用支持片３０と上側支持腕部材２０との回動連結支点は、常に上向きの力が付勢され、連結ロッド３３の上移動で、上側支持腕部材２０が持ち上げられて行く際に支持腕部材用支持片３０が、下側の角度規制ストッパー片３４Ｂ側から上側の角度規制ストッパー片３４Ａ側に移る回転移動が確実に行われるのである。
【００５２】
また、支持片用加勢ばね３５が設けられることで、上側扉体１２の閉成動作でも、上側扉体１２が最終的の閉鎖段階に移るまで上側扉体１２は洗浄槽１１から離れた動作を期待できるものである。
【００５３】
引きばね３７について図３、図４、図６を引用して述べる。
【００５４】
引きばね３７を備えたのは、下側扉体１３の始期開放完了（図３）から上側扉体１２の開放始期完了（図４）に移る動作が円滑に行われるようにしたためである。
【００５５】
すなわち、連結ロッド３３の上移動で、上側支持腕部材２０が持ち上げられて行く際に引きばね３７が備えられていないと、図６に示すように上側支持腕部材２０は、左右の吊り合いが保たれず、上側扉体１２側の方が下がる。始期開放状態にある下側扉体１３の上端側に上側扉体１２の下端側が接触してしまい、下側扉体１３および上側扉体１２の開放作動が円滑に行われなくなる。
【００５６】
引きばね３７が備えられることで、上側支持腕部材２０は、上側扉体１２側とは反対側が下方に引かれ、左右の吊り合いが保たれ（上側扉体１２側が持ち上げられ）、図３ないし図４に示すような状態（下側扉体１３の上端側と上側扉体１２の下端側との接触が解消される）が維持される。こうして、下側扉体１３および上側扉体１２の円滑な開放作動が行われるのである。
【００５７】
また、上側扉体１２側を持ち上げられることで、上側扉体１２の下端内側が洗浄槽１１に接触することもなくなるので、下側扉体１３および上側扉体１２の円滑な開放作動が得られることはもちろん、シールパッキングの摩滅も解消される。
【００５８】
上述した下側扉体１３および上側扉体１２の一連の開閉作動を通じて下側扉体１３および上側扉体１２の荷重の大部分は、下側支持腕部材１７ないし支持腕部材用支持片３０の支点で受けられる。このため、ローラ（移動部材）が嵌るリンク案内溝３８には大きな荷重がかからないので、ローラ（移動部材）の円滑な摺動が期待でき、下側扉体１３および上側扉体１２の開け閉めが軽く、円滑に行なわれる。
【００５９】
上側扉体１２および下側扉体１３の完全なる開放状態（最大開放状態）について、図５を引用して説明する。
【００６０】
下側扉体１３は下方に、上側扉体１２は上方に回動するように開放作動して図５に示す状態に置かれる。この状態が完全開放状態である。この完全開放状態では、洗浄槽１１の前面側の開口部は、全部に開放された状態になり、図１０に示すように食器かご６０を洗浄槽１１から引き出して食器類６１の出し入れを容易に行なうことができる。
【００６１】
また、完全開放状態では、連結手段３２であるリンク機構のローラ（上側の連結ロッド３３と下側の連結ロッド１９との回動連結支点）がリンク案内溝３８の阻止部３８Ｂに位置する。
【００６２】
すなわち、上側扉体１２および下側扉体１３の開閉作動のともなって軌跡上を移動するリンク機構の回動連結支点が、上側扉体１２および下側扉体１３の完全開放状態（全開状態）ではリンク運動の死点を過ぎた位置に来ることになるので、その完全開放状態が保持される。このため、上側扉体１２および下側扉体１３が自然に閉じてしまう不具合が生じない。
【００６３】
また、完全開放状態では、リンク機構のローラがリンク案内溝３８の阻止部３８Ｂに抑えられ拘束されるため、上側扉体１２および下側扉体１３がそれ以上に開放方向に動くこともなく、安定した状態に保たれるのである。
【００６４】
これに加え、上側扉体１２を掴んで閉じる方向に下げようとしても、上側扉体１２の閉成作動は阻止される。すなわち、リンク機構の回動連結支点が、リンク運動の死点を過ぎた位置にあるため、上側扉体１２から上側の連結ロッド３３を介してローラに加わる力の向きはローラを阻止部３８Ｂに押し付ける方向になり、上側扉体１２の閉成は阻止される。上側扉体１２を掴んで、うっかり閉じようとしても、上側扉体１２の閉成は阻止されるので、引き出されている食器かご６０に上側扉体１２をぶつけてしまうことが未然に防止されるので安全である。
【００６５】
なお、下側扉体１３を掴んで閉じるときは、下側の連結ロッド１９を介してローラに加わる力の向きはローラを下げる方向になるので、上側扉体１２および下側扉体１３の開閉は行なわれる。下側扉体１３の上側に引き出されている食器かご６０が存在するときは、下側扉体１３を閉成することはないので、食器を損傷してしまうことは生じ難い。
【００６６】
図１１に沿って上側扉体１２の開放について述べる。
【００６７】
上側扉体１２の開放始期動作が完了後には、支持腕部材用支持片３０が上側の角度規制ストッパー片３４Ｂ側に当接して抑えられるので、上側支持腕部材２０は支持腕部材用支持片３０との回動連結支点を中心とする小さな回動半径の回動になる。このため、開放した上側扉体１２は、（イ）の位置で来る。
【００６８】
もし、上側の角度規制ストッパー片３４Ｂで抑えられずに、上側支持腕部材２０が支持腕部材用支持片３０の支点を中心とする大きな回動半径の回動になると、上側支持腕部材２０は（ロ）の位置に来ることになる。
【００６９】
このように上側扉体が（イ）の位置で来るようにすることで、（ロ）の位置に来るものに比べ、食器洗浄機の使用時を含めた全体的なサイズをコンパクトに抑えることができる。
【００７０】
また、上側扉体１２は中間から上側にかけて円弧形状にしているので、本体外枠１０の後面上側コーナ部を面取りした形状（洗浄槽１１も同様である）にすることにより、食器洗浄機のコンパクト化に応えることができる。
【００７１】
さらに上側扉体１２と本体外枠１０の上側面との隙間が指の太さを上回る程度（８ｍｍ程度）にしているので、上側扉体１２が押されて多少撓んでも、本体外枠１０の上側面に押力がかからないのである。
【図面の簡単な説明】
【００７２】
【図１】本発明の実施形態に係わるもので、食器洗浄機の全体を示す斜視図である。
【図２】本発明の実施形態に係わる食器洗浄機の縦断面図で、上側扉体及び下側扉体が閉鎖されている状態を示す。
【図３】本発明の実施形態に係わる食器洗浄機の縦断面図で、下側扉体の始期開放が始まった状態を示す。
【図４】本発明の実施形態に係わる食器洗浄機の縦断面図で、下側扉体の始期開放が完了した状態を示す。
【図５】本発明の実施形態に係わる食器洗浄機の縦断面図で、上側扉体／下側扉体の開放が完了した状態を示す。
【図６】本発明の実施形態に係わる食器洗浄機の縦断面図で、引きばねを備えないときの上側扉体／下側扉体の開閉動作を示す。
【図７】本発明の実施形態に係わる食器洗浄機の縦断面図で、支持片用加勢ばねを備えないときの上側扉体／下側扉体の開閉動作を示す。
【図８】本発明の実施形態に係わるもので、洗浄槽の外面側とリンク機構等を示す縦断面図。
【図９】本発明の実施形態に係わるもので、洗浄槽の外面側のリブとリンク機構等との関係を示す図。
【図１０】本発明の実施形態に係わる食器洗浄機の縦断面図で、上側扉体／下側扉体を開いて食器かごを引き出した状態を示している。
【図１１】本発明の実施形態に係わるもので、食器洗浄機のコンパクト化を説明するための図。
【符号の説明】
【００７３】
１０…本体外枠、１１…洗浄槽、１２…上側扉体、１３…下側扉体、１４…回転噴射体、１５…噴射孔、１６…フロントパネル、１７…下側支持腕部材、１８…支持基板、１９…下側の連結ロッド、２０…上側支持腕部材、３０…支持腕部材用支持片、３１…突起台、３２…連結手段、３３…上側の連結ロッド３３、３４…回転角度規制ストッパー、３４Ａ…上側の角度規制ストッパー片３４Ａ、３４…下側の角度規制ストッパー片、３５…支持片用加勢ばね、３６…係合突起、３７…引きばね、３８…リンク案内溝、３９…ハンドル、４０…ロックボタン、５０…ドアラッチ、５１…格子状のリブ、６０…食器かご、６１…食器類６１。
【図１】
2005245641.tif 000003
【図２】
2005245641.tif 000004
【図３】
2005245641.tif 000005
【図４】
2005245641.tif 000006
【図５】
2005245641.tif 000007
【図６】
2005245641.tif 000008
【図７】
2005245641.tif 000009
【図８】
2005245641.tif 000010
【図９】
2005245641.tif 000011
【図１０】
2005245641.tif 000012
【図１１】
2005245641.tif 000013